(57)【要約】【課題】設置及び撤去が容易でマンホール内へのガラの落下を完全に防止できる作業用足場、及びこれを用いてマンホール首部の補修を容易に行う方法を提供すること。【解決手段】作業用足場１は、ねじ２１が刻設された支持軸２と、ねじ２１と螺合するねじ３３を有する支持台３と、支持軸２の上端に着脱自在に取り付けられる踏み台４とからなり、踏み台４には、固定部４１より放射状に張り出され、かつ、マンホール首部５２の直径に合わせて適宜伸縮できるように構成された複数本のブラケット４２を備えるという構成にする。マンホール首部の補修方法に関しては、マンホール本体５１内に作業用足場１を設置した後、ブラケット４２上に踏み板５８を載置し、踏み板５８とマンホール首部５２との間に間詰め材５９を間詰めするという構成にする。【選択図】図１
2005330695.tif 000002
【特許請求の範囲】
【請求項１】
ねじが刻設された支持軸と、前記ねじの螺合部を有する支持台と、前記支持軸の上端に着脱自在に取り付けられる踏み台とからなり、
前記踏み台には、前記支持軸の上端に取り付けられる固定部と、当該固定部より放射状に張り出され、かつ、マンホール首部の直径に合わせて適宜伸縮できるように構成された複数本のブラケットが備えられていることを特徴とするマンホール首部の補修に用いられる作業用足場。
【請求項２】
マンホールの鉄蓋を撤去する工程と、
ねじが刻設された支持軸、前記ねじの螺合部を有する支持台及び前記支持軸の上端に着脱自在に取り付けられる踏み台とからなり、前記踏み台には、前記支持軸の上端に取り付けられる固定部と当該固定部より放射状に張り出され、かつ、マンホール首部の直径に合わせて適宜伸縮できるように構成された複数本のブラケットが備えられた作業用足場を組み立てる工程と、
鉄蓋を撤去することによって開口された進入孔よりマンホール内に前記組み立てられた作業用足場を降ろし、マンホール底部及びマンホール首部に前記作業用足場を設置する工程と、
マンホール内に設置された作業用足場のブラケット上に踏み板を載置する工程と、
前記踏み板とマンホール首部との間に間詰めを施す工程と、
マンホールの鉄蓋枠を撤去する工程とを含み、
前記作業用足場を組み立てる工程において、前記ブラケットの長さを前記マンホール首部の直径に合わせて調整することを特徴とするマンホール首部の補修方法。
【発明の詳細な説明】
【技術分野】
【０００１】
本発明は、ケーブル敷設用或いは下水道用のマンホールにおける首部の補修方法及びこれに用いられる作業用足場に係り、特に、補修作業の効率化を図る手段に関する。
【背景技術】
【０００２】
鉄蓋の老朽化に伴う鉄蓋枠の取り替えや道路舗装の打ち替えに伴う蓋高調整等を行う際、従来は、マンホール首部の周囲を掘り起こして作業を行っていたが、近年においては、マンホールの鉄蓋枠の周囲を円形に切削し、鉄蓋枠を取り外した後に早強性のコンクリート等で復旧する円形補修工法が普及している。
【０００３】
この円形補修工法によれば、マンホール首部の補修を低振動、低騒音かつ短時間に行うことができるが、鉄蓋枠の取り外しに際してマンホール首部のコンクリートをマンホールの内側から破砕しなくてはならないため、所要の作業用足場をマンホール内に設置する必要があると共に、コンクリートの破砕によって生じるガラ（コンクリート塊）のマンホール内への落下や、落下したガラによるマンホール内に敷設されたケーブル類の損傷を防止するためのガラ対策手段を設置する必要がある。
【０００４】
前記作業用足場としては、従来より複数本のパイプをクランパで組み立てるパイプ足場が多く用いられている。また、前記ガラ対策手段としては、マンホール内に作業員が入孔してマンホール内のケーブル類等を所要の養生部材を用いて直接養生する方法、マンホール首部よりパラシュート状のガラ受け袋を吊り下げる方法及びマンホール首部のステップにアングル部材等を用いて円形のガラ受け網を取り付ける方法などが用いられている。
【０００５】
なお、これらの事項に関連する技術が記載された特許文献及び非特許文献については、調査したものの発見できなかった。
【発明の開示】
【発明が解決しようとする課題】
【０００６】
作業用足場としてパイプ足場を用いる方法は、作業用足場の組立及び撤去に際して作業員がマンホール内に入孔しなくてはならないので、作業に危険が伴うばかりでなく、長時間を要するという不都合がある。また、従来のガラ対策手段のうち、マンホール内に作業員が入孔してマンホール内のケーブル類等を直接養生する方法は、養生部材の設置及び撤去並びにガラの搬出に長時間を要し、作業効率が悪いという不都合がある。これに対して、従来のガラ対策手段のうちのガラ受け袋又はガラ受け網を設置する方法は、養生部材の設置を省略することができ、かつ、ガラの搬出を容易化できるという利点を有するが、マンホール首部にこれらのガラ受け手段を設置すると足場を使うことができなくなり、しかも従来のガラ受け袋及びガラ受け網はいずれもガラの重量に耐える程度の強度しか有していないので、作業員を支えることができず、鉄蓋枠の取り外し作業がやりにくくなるという不都合がある。
【０００７】
本発明は、かかる従来技術の不備を解決するためになされたものであって、その目的は、作業員がマンホール内に入孔することなくマンホール内への設置及びマンホール内からの撤去を容易に行うことができ、しかもマンホール内へのガラの落下を完全に防止可能な作業用足場を提供すること、及びこの作業用足場を用いてマンホール首部の補修を容易に行う方法を提供することにある。
【課題を解決するための手段】
【０００８】
本発明は、前記課題を解決するため、作業用足場に関しては、ねじが刻設された支持軸と、前記ねじの螺合部を有する支持台と、前記支持軸の上端に着脱自在に取り付けられる踏み台とからなり、前記踏み台には、前記支持軸の上端に取り付けられる固定部と、当該固定部より放射状に張り出され、かつ、マンホール首部の直径に合わせて適宜伸縮できるように構成された複数本のブラケットが備えられているという構成にした。
【０００９】
また、本発明は、前記課題を解決するため、マンホール首部の補修方法に関しては、マンホールの鉄蓋を撤去する工程と、ねじが刻設された支持軸、前記ねじの螺合部を有する支持台及び前記支持軸の上端に着脱自在に取り付けられる踏み台とからなり、前記踏み台には、前記支持軸の上端に取り付けられる固定部と当該固定部より放射状に張り出され、かつ、マンホール首部の直径に合わせて適宜伸縮できるように構成された複数本のブラケットが備えられた作業用足場を組み立てる工程と、鉄蓋を撤去することによって開口された進入孔よりマンホール内に前記組み立てられた作業用足場を降ろし、マンホール底部及びマンホール首部に前記作業用足場を設置する工程と、マンホール内に設置された作業用足場のブラケット上に踏み板を載置する工程と、前記踏み板とマンホール首部との間に間詰めを施す工程と、マンホールの鉄蓋枠を撤去する工程とを含み、前記作業用足場を組み立てる工程において、前記ブラケットの長さを前記マンホール首部の直径に合わせて調整するという構成にした。
【００１０】
かように、作業用足場をねじが刻設された支持軸と前記ねじの螺合部を有する支持台と前記支持軸の上端に着脱自在に取り付けられる踏み台とから構成すると、１本の支持軸の両端に支持台と踏み台とを個別に取り付けるだけで作業用足場の組立を完了することができる。そして、支持台及び踏み台のサイズをマンホール進入孔の直径以下に形成しておけば、作業用足場をマンホール進入孔からマンホール内に下ろすことができる。また、支持軸の一端を支持台に設けられた螺合部にねじ込む構成にすると、支持台に対する支持軸のねじ込み長さを調整することによって踏み台の設定高さを調整することができる。さらに、踏み台のブラケットを伸縮可能に構成すると、ブラケットの長さをマンホール首部の直径に合わせて適宜伸縮することにより、作業用足場をマンホール内に下ろしたときに、ブラケットの先端部をマンホール首部の内面と小さな間隔を隔てて対向させることができる。したがって、地上にて各部が所要の寸法を有するように組み立てられた作業用足場をマンホール内に降ろすだけでマンホールに対する作業用足場の設置を完了することができるので、パイプ足場を用いる場合に比べて作業用足場の設置を格段に簡略化することができる。
【００１１】
また、マンホール内に作業用足場を設置した後に作業用足場のブラケット上に踏み板を載置すると、作業員は踏み板上のいかなる部位に足を載せた場合にも体重を支えることができるので、マンホール首部のコンクリートをマンホールの内側から破砕する作業を安全かつ高能率に行うことができる。さらに、当該踏み板とマンホール首部との間に間詰めを施すと、マンホール内へのガラの落下を完全に防止することができるので、マンホール内に敷設されたケーブルの養生を省略できると共にガラの搬出を容易に行うことができるので、この点からも作業を安全かつ高能率に行うことができる。
【発明の効果】
【００１２】
本発明の作業用足場は、ねじが刻設された支持軸と、前記ねじの螺合部を有する支持台と、前記支持軸の上端に着脱自在に取り付けられる踏み台とからなり、前記踏み台には、前記支持軸の上端に取り付けられる固定部と、当該固定部より放射状に張り出され、かつ、マンホール首部の直径に合わせて適宜伸縮できるように構成された複数本のブラケットを備えたので、１本の支持軸の両端に支持台と踏み台とを個別に取り付け、踏み台の高さ調整とブラケットの長さ調整を行うだけで作業用足場の組立を完了することができる。また、この組み立てられた作業用足場をマンホール進入孔からマンホール内に下ろすだけで、マンホールに対する作業用足場の設定を完了することができる。よって、マンホール内にパイプ足場を組む場合に比べて作業用足場の設置を格段に簡略化することができ、マンホールの改修作業を高能率化することができる。
【００１３】
本発明のマンホール首部の補修方法は、ねじが刻設された支持軸と、前記ねじの螺合部を有する支持台と、前記支持軸の上端に着脱自在に取り付けられる踏み台とからなり、前記踏み台には、前記支持軸の上端に取り付けられる固定部と、当該固定部より放射状に張り出され、かつ、マンホール首部の直径に合わせて適宜伸縮できるように構成された複数本のブラケットを備えた作業用足場を用いるので、踏み台の高さ調整とブラケットの長さ調整とが行われた作業用足場をマンホール進入孔からマンホール内に下ろすだけで、マンホールに対する作業用足場の設定を完了することができる。また、マンホール内に作業用足場を設置した後に、作業用足場のブラケット上に踏み板を載置し、踏み板とマンホール首部との間に間詰めを施すので、マンホール内へのガラの落下を完全に防止することができ、マンホール内に敷設されたケーブルの養生を省略できると共に踏み板上からのガラの搬出を容易に行うことができる。よって、マンホール内にパイプ足場を組む場合や従来のガラ対策手段をとる場合に比べて、マンホールの改修作業を高能率化することができる。
【発明を実施するための最良の形態】
【００１４】
本発明に係る作業用足場の実施形態を図１乃至図４に基づいて説明する。図１は実施形態例に係る作業用足場の一部切断した分解斜視図、図２は実施形態例に係る踏み台のブラケットを閉じた状態を示す斜視図、図３は実施形態例に係る踏み台のブラケットを開いた状態を示す斜視図、図４は実施形態例に係るブラケットの分解斜視図である。
【００１５】
実施形態例に係る作業用足場１は、図１に示すように、支持軸２と、支持台３と、踏み台４とからなる。
【００１６】
支持軸２は所要の長さと強度とを有する棒状又はパイプ状に形成されており、少なくともその一端には雄ねじ２１が刻設されている。
【００１７】
支持台３は、台座部３１と当該台座部３１の中央部に起立された円筒形の支承部３２とから構成されており、支承部３２の内面には、雄ねじ２１を螺合可能な雌ねじ３３が刻設されている。また、支承部３２の上部には図示しないねじ孔が開設されており、そのねじ孔には支持軸２を支持台３に固定するためのビス５が螺合されている。
【００１８】
踏み台４は、図１乃至図３に示すように、支持軸２の上端に取り付けられる固定部４１と、当該固定部４１の上端部に一端が旋回可能にピン結合された複数本（図１乃至図３の例では、４本）のブラケット４２とからなる。
【００１９】
固定部４１は、支持軸２の上端部を挿入可能な筒状に形成されており、その下部には図示しないねじ孔が開設されていて、そのねじ孔には踏み台４を支持軸２に固定するためのビス６が螺合されている。また、固定部４１の上端部寄りには、固定部４１に対してブラケット４２を水平に保持するためのストッパ４３が突設されている。
【００２０】
ブラケット４２は、図４に示すように、断面形状がコの字形の樋型に形成され、互いに摺動自在に組み合わされる第１及び第２のブラケット部材４２ａ，４２ｂと、これら第１及び第２のブラケット部材４２ａ，４２ｂを連結する連結ボルト７，８とから構成されている。前記第１及び第２のブラケット部材４２ａ，４２ｂの側板には、複数個のボルト貫通孔４４が等ピッチで開設されており、第１ブラケット部材４２ａに開設されたボルト貫通孔４４と第２ブラケット部材４２ｂに開設されたボルト貫通孔４４とを相互にずらすことによって、ブラケット４２の長さを段階的に伸縮できるようになっている。ブラケット４２は、第１ブラケット部材４２ａの一端を固定部４ａの上端部に接続ピン４５でピン結合することにより、固定部４１に旋回可能に取り付けられる。
【００２１】
以下、このように構成された作業用足場１の組立方法について説明する。
【００２２】
まず、支持軸２の一端に刻設された雄ねじ２１を支持台３の支障部３２に刻設された雌ねじ３３を螺合する。その際、雌ねじ３３に対する雄ねじ２１の螺合量を加減し、台座部３１の底面から支持軸２の先端までの長さがマンホールの深さに応じた所要の値になるように調整する。しかる後に、支障部３２に設けられたビス５を締め付けることによって、支持軸２と支持台３とを一体化する。次に、支持軸２の他端に踏み台４の固定部４１を装着し、固定部４１に設けられたビス６を締め付けることによって支持軸２と踏み台４とを一体化する。次に、図３に示すように、接続ピン４５を中心として４本のブラケット４２をそれぞれ可動方向に旋回し、各ブラケット４２を固定部４１に突設されたストッパ４３に当接する。これにより、４本のブラケット４２は、水平面内で４方向に放射状に散開される。最後に、第１ブラケット部材４２ａに開設されたボルト貫通孔４４と第２ブラケット部材４２ｂに開設されたボルト貫通孔４４とを相互にずらし、同一方向に散開された各ブラケット４２の先端部の間隔がマンホール首部の直径よりもやや小さい値となるように調整する。
【００２３】
次いで、このようにして組み立てられた作業用足場１を用いたマンホール首部の補修方法を、図５乃至図１０に基づいて説明する。図５は地中に埋設されたマンホールの構成を示す説明図、図６はマンホール内への作業用足場の設置工程を示す説明図、図７は踏み台上に載置された踏み板とマンホール首部との間に施される間詰め工程を示す説明図、図８はマンホール鉄蓋枠の撤去工程を示す説明図、図９はマンホール首部の破砕工程を示す説明図、図１０はマンホール首部の修復工程を示す説明図である。
【００２４】
これらの各図において、符号５１はマンホール本体、符号５２はマンホール首部、符号５３はマンホール鉄蓋枠、符号５４はマンホール鉄蓋、符号５５はマンホール補修用の内型枠、符号５６はマンホール補修用の高さ調整ブロック、符号５７はマンホール補修用のモルタル、符号５８は踏み板、符号５９は間詰め材、符号６０はケーブルを示している。
【００２５】
マンホール首部５２の補修に際しては、まず図５に示すように、マンホール鉄蓋枠５３よりマンホール鉄蓋５４を撤去する。次に、図６に示すように、マンホール鉄蓋５４を撤去することによって開口された進入孔を通して、前記のようにして組み立てられた作業用足場１をマンホール本体５１内に降ろす。前記のように、作業用足場１の長さ及びブラケット４２の長さは、組立段階でマンホール本体５１の深さ及びマンホール首部５２の直径に合致するように調整されているので、マンホール本体５１内に作業用足場１を降ろすだけで、マンホール本体５１及びマンホール首部５２に対する作業用足場１の設置を完了することができる。
【００２６】
次に、図７に示すように、ブラケット４２上に踏み板５８を載置し、当該踏み板５８とマンホール首部５２との間に、ガラ落ち防止用の間詰め材５９を間詰めする。間詰め材５９は、専用品である必要はなく、ウエス等を間詰めすれば足りる。次に、図８に示すように、マンホール鉄蓋枠５３の周囲を円形に切削し、マンホール首部５２からマンホール鉄蓋枠５３を取り外して撤去する。次に、図９に示すように、作業員が作業用足場１を利用し、ハンドブレーカ等の破砕機を用いてマンホール首部５２の破砕作業を行う。このように、本例の補修方法は、作業用足場１を利用することができるので、マンホール首部５２の破砕作業を容易かつ効率良く行うことができる。また、破砕作業によって生じるガラは、踏み板５８上及び間詰め材５９上に溜められ、マンホール本体５１内への落下が防止されるので、ケーブル６０を養生するための工数を省略できると共にガラの撤去に要する工数を軽減することができる。
【００２７】
次に、図１０に示すように、加工されたマンホール首部５２の内周を利用して補修用の内型枠５５を設定し、高さ調整ブロック５６の積み込みと、当該調整ブロック５６上へのマンホール鉄蓋枠５３の設定と、マンホール鉄蓋枠５３の周囲への早強性コンクリート５７の打設とを順次行う。
【００２８】
最後に、内型枠５５の撤去とマンホール本体５１内からの作業用足場１の取り出しとを行った後に、マンホール鉄蓋枠５３にマンホール鉄蓋５４を被せ、作業を完了する。
【図面の簡単な説明】
【００２９】
【図１】実施形態例に係る作業用足場の一部切断した分解斜視図である。
【図２】実施形態例に係る踏み台のブラケットを閉じた状態を示す斜視図である。
【図３】実施形態例に係る踏み台のブラケットを開いた状態を示す斜視図である。
【図４】実施形態例に係るブラケットの分解斜視図である。
【図５】地中に埋設されたマンホールの構成を示す説明図である。
【図６】マンホール内への作業用足場の設置工程を示す説明図である。
【図７】踏み台上に載置された踏み板とマンホール首部との間に施される間詰め工程を示す説明図である。
【図８】マンホール鉄蓋枠の撤去工程を示す説明図である。
【図９】マンホール首部の破砕工程を示す説明図である。
【図１０】マンホール首部の修復工程を示す説明図である。
【符号の説明】
【００３０】
１    作業用足場
２    支持軸
３    支持台
４    踏み台
２１    雄ねじ
３１    台座部
３２    支承部
３３    雌ねじ
４１    固定部
４２    ブラケット
４３    ストッパ
５１    マンホール本体
５２    マンホール首部
５３    マンホール鉄蓋枠
５４    マンホール鉄蓋
５８    踏み板
５９    間詰め材
【図１】
2005330695.tif 000003
【図２】
2005330695.tif 000004
【図３】
2005330695.tif 000005
【図４】
2005330695.tif 000006
【図５】
2005330695.tif 000007
【図６】
2005330695.tif 000008
【図７】
2005330695.tif 000009
【図８】
2005330695.tif 000010
【図９】
2005330695.tif 000011
【図１０】
2005330695.tif 000012